(57)【要約】      （修正有）【課題】作業の短縮が可能であり、又優れた支持力を有する杭基礎用の金属製の管体を提供する。【解決手段】地盤に埋没される杭基礎用の金属製の管体であり、前記管体の側面に複数のスリット状の開口部５が設けられ、前記スリット状の開口部に位置する前記金属製の管体内壁には支持軸受け部４が固定され、前記支持軸受け部には刃物２と当該刃物の回動を可能とする支持軸３が備わり、前記金属製の管体の杭頭側の開口部には金属製のピストン７が挿入され、前記ピストンを押圧することで前記スリット状の開口部から前記刃物が管外へ拡開することを特徴とする。【選択図】図２
0003204363.tif 000002
【実用新案登録請求の範囲】
【請求項１】
地盤に埋没される杭基礎であって、前記杭基礎の一部が金属製の管体であり、前記金属製の管体側面には杭長手方向に対してスリット状の開口部が前記管体の円周方向に複数設けられ、前記スリット状の開口部に位置する前記管体内壁には支持軸受け部が固定され、前記支持軸受け部には刃物と当該刃物の回動を可能とする支持軸が備わり、且つ、前記金属製の管体の杭頭側に対する開口部には金属製のピストンが挿入されており、前記ピストンを押圧することで前記ピストンの頭部が前記刃物を稼働させることにより前記支持軸を支点として前記刃物が前記スリット部を通過し管体外に向かって拡開することを特徴とする杭基礎用の金属製の管体
【請求項２】
杭尾側に用いる前記杭基礎用の金属製の管体であって、前記金属製の管体側面には杭長手方向に対してスリット状の開口部が前記管体の円周方向に複数設けられ、前記スリット状の開口部に位置する前記管体内壁には支持軸受け部が固定され、前記支持軸受け部には刃物と当該刃物の回動を可能とする支持軸が備わり、前記金属製の管体の杭尾側の開口部からピン等で押圧することで前記ピン先が前記刃物を稼働させることにより前記支持軸を支点として前記刃物が前記スリット部を通過し管体外に向かって拡開することを特徴とする杭基礎用の金属製の管体
【考案の詳細な説明】
【技術分野】
【０００１】本考案は、構造物の基礎に用いられる地盤食い込み型支持杭。
【背景技術】
【０００２】基礎杭は建物を地盤に固定する目的に使用され、建物の自重などの鉛直荷重や地震により建物の沈下や横移動を防止するようにすることである。前記基礎杭の工法として大きく分類すると既成杭工法と場所打ち杭工法があり地盤や地中の障害物、その他周囲の条件により前記工法が異なる。
【先行技術文献】
【特許文献】
【０００３】
【特許文献１】特開２００５−６１１７１号
【特許文献２】特開２００４−３２４３２１号
【特許文献３】特開２０１５−１０１９５２号
【特許文献４】特開２０１５−６８０８９号
【０００４】
【考案の概要】
【考案が解決しようとする課題】
【０００５】水平荷重に対する抵抗力を高めるために、杭径を大きくすることは、杭基礎に使用する材料が増え不経済であるため様々な発明が提案されている。【０００６】特許文献１は、地盤に埋設される杭基礎の杭頭から放射状に突出する鉛直板を設けたことを特徴としており地盤の土粒子から受ける水平方向の有効応力を大きくすることができ、地震時に杭に働く水平荷重に対する抵抗力を増大させることができるものである。しかし、前記杭を土壌に挿入した後に油圧ジャッキ等を用いてスリットから地盤内に鉛直板を突出させる作業が必要であり、また鉛直板は杭頭部（地中深い位置）に本発明を具備させた場合には前記突出作業がより難しくなる。【０００７】特許文献２は、中空杭体と中空杭体の長手方向複数箇所に内方から外方に四角形に開口し、下縁部を斜め下向き傾斜面にし、この斜め下向き傾斜面の両側に左、右側壁を形成した複数のガイド孔と、前記中空杭体の中心軸線に沿って上下動自在に垂下した心棒と、前記心棒に基端部を回動自在に連結する溝型鋼を長方形に切断し形成する複数の拡径アームとから成り、前記ガイド孔下縁部の斜め下向き傾斜面に前記拡径アームの下端部を載置した構造であり、前記拡径アームが杭外周に設けたガイド孔から前記心棒の下降で突出し、心棒の上昇で引っ込み、拡径を可能にした摩擦杭が提案されている。しかし、前記摩擦杭には心棒に拡径アームが複数具備されているため加工精度を必要とするため製造コスト高となる。【０００８】特許文献３は、親杭である鋼材丸パイプ杭の中に複数の均一な枝鉄筋枝と前記枝鉄筋枝を束ねる芯材にネジ切り鋼材棒を用い、前記頭頂部外面に切り込み加工を施され複数の枝鉄筋杭をワイヤーロープでその芯材共に結束し、その円周壁面には枝鉄筋杭穴が刻設され、芯材のネジ切り鋼材棒に結束された枝杭の結束部直下の内側には、集束パイプに刻設の枝杭穴縁下辺壁板に嵌め込むための溝切り加工が施され、芯材に結束した枝杭セットを集束パイプに插入し、枝杭貫通穴を通して切り込み溝を穴縁に嵌め込み枝杭装置の集束部を強固にし、更に集束パイプ枝杭刻設穴の穴巾両脇を上下に切り込みを入れた枝杭が提案されている。しかし、本構造に於いては前記枝鉄筋枝を拡張させるための作業性の課題がある。【０００９】特許文献４は、管状に形成された金属製の管体と、管体の下端から上方に向って設けられる複数のスリットと、スリット間に位置する拡開片および拡開片に設けられ、管体内において管体の軸方向に向って突出する金属製の受け部と、を有する拡開部と、を備え、管体内に通じる管体の下端側の開口部を遮蔽する遮蔽部が拡開部に設けられている。杭を用いる杭の施工方法であって、杭を地盤の所定の深さに打ち込む打ち込み工程と、管体内にピンを打ち込んで、拡開片を拡開させる拡開工程から成る。しかし、前記拡開片を拡張するためのピンを打ち込む作業が必要であるため作業性の課題がある。
【課題を解決するための手段】
【００１０】上記課題に鑑み、考案者は誠意工夫の結果、優れた支持力を有する杭構造を見出した。具体的には、地盤に埋没される杭基礎であって、前記杭基礎の一部が金属製の管体であり、前記金属製の管体側面には杭長手方向に対してスリット状の開口部が設けられ、前記スリット状の開口部が前記管体の周方向に複数設けられ、前記スリット状の開口部に位置する管体内部には刃物と、当該刃物の回動を可能とする支持軸と前記支持軸受け部が具備されており、前記金属製の管体の杭頭側の開口部には金属製のピストンが挿入されており、前記ピストンを押圧することで前記ピストンの頭部が前記刃物を稼働させることにより前記支持軸を支点として前記刃物が前記スリット部を通過し杭管外に向かって拡開することを特徴とする杭基礎の杭頭側用の金属製の管体である。【００１１】前杭基礎用の金属製の管体であって、前記金属製の管体側面には杭長手方向に対してスリット状の開口部が設けられ、前記スリット状の開口部が前記管体の周方向に複数設けられ、前記スリット状の開口部に位置する管体内部には刃物と、当該刃物の回動を可能とする支持軸と前記支持軸受け部が具備されており、前記金属製の管体の杭尾側の開口部からピン等で押圧することで前記ピン先が前記刃物を稼働させることにより前記支持軸を支点として前記刃物が前記スリット部を通過し杭管外に向かって拡開することを特徴とする杭基礎の杭尾側用の金属製の管体である。
【考案の効果】
【００１２】本考案によれば、優れた保持力を有するだけでなく作業性も良いために工期の短縮化ができる。
【図面の簡単な説明】
【００１３】
【図１】杭頭部の長手方向断面構造（左図）と側面構造（右図）を示す。
【図２】杭頭部の先端部にピストンを挿入した際の長手方向断面構造（左図）と側面構造（右図）を示す。
【図３】杭頭部用の金属製の管体に３枚の刃物を具備させた径方向断面構造を示す。
【図４】杭頭部用の金属製の管体に４枚の刃物を具備させた径方向断面構造を示す。
【図５】杭頭部用の金属製の管体に関して構造の異なる２例の長手方向断面構造を示す。
【図６】杭尾部用の金属製の管体に関して長手方向断面構造（左図）と側面構造（右図）を示す。
【図７】本考案の杭頭部用の金属製の管体と杭尾部用の金属製の管体を組み合わせた杭基礎の一例を示す。
【考案を実施するための形態】
【００１４】以下、本考案に係る実施の形態を図面により説明する。
【実施例】
【００１５】図１は、本考案の一実施例である杭頭部の構造を示す。杭頭部は金属製の管（１）から成り、前記管内には刃物の拡開が可能なように金属製の刃物（２）が備わり、図示していないが前記刃物が回動可能となるように前記刃物（２）には孔が設けられており前記孔に支持軸（３）が貫通され、前記支持軸は支持軸受け部（４）により前記管内に固定されている。前記刃物の構成が管内の円周上に４個備えてあり、前記管側面には前記刃物の拡開が可能な程度にスリット状の開口部（５）を設けることで杭基礎の杭頭側用の金属製の管体部が完成する。【００１６】前記金属製の管体部に具備した刃物を拡開するために、前記金属製の管体部の杭頭側の開口部（６）には、図２に示すように前記開口部（６）を通してピストン（７）が挿入されピストン頭部（８）が前記金属製の管体部の管内に装備される。図３は、４枚の刃物を具備させた場合であり図４には刃物を３枚具備させた管内径方向断面構造を示す。本構造により現場での杭基礎挿入時にピストン（７）とピストン頭部（８）が押し上げられることで刃物（２）を拡開する。【００１７】図５（左）は、本考案の別の実施例である杭頭部用の金属製の管体構造を示す。杭頭部は金属製の管体（１）から成り、図１と同様に前記管内には刃物（２）の拡開が可能な構成としている。更に、前記金属製の管体部の杭頭側の開口部のピストン（７）には金属製の傘枝（９）が拡開可能なように支持軸（１１）と支持軸受け部（１２）にて固定され、前記傘枝の他端は前記刃物（２）が拡開可能なように支持軸（１０）に固定されており、前記ピストン（７）を押し上げることで前記傘柱（９）が拡開し連動して刃物（２）も同時に拡開する構造である。【００１８】図５（右）は、本考案の別の実施例であり、金属製の管体部（１）から成り、前記管内には、図１と同様に前記管内には刃物（２）の拡開が可能な構成としている。更に、前記金属製の管体部の杭頭側の開口部のピストン（７）が押し上げられることでピストン頭部（８）が前記刃物（２）を拡開する構造である。【００１９】本考案である杭基礎の金属製の管体を杭尾部側にも具備させることにより更に優れた支持力を備えることが可能となる。具体的な構造として、図６に示すように金属製の管（３１）から成り、図１と同様に前記管内には刃物（２）の拡開が可能な構成としている。前記刃物の拡開構成部が前記金属製の管体内の円周上に４個備えてあり、前記管側面には、前記刃物の拡開が可能な程度にスリット状の開口部（３５）を設けることで杭基礎の杭尾側用の金属製の管体が完成する。前記刃物を拡開するためには杭尾側の開口部（３０）からピン（４０）を取り付けた重機などにより前記ピン（４０）を押し込めばよい。【００２０】現場作業時の使用例としてコンクリート製の杭（１００）とコンクリート製の杭（２００）を本考案である杭頭部用の金属製の管体と杭尾部用の金属製の管体に連結させた構造を図７（左）に、若しくはコンクリート製の杭（１００）のみを連結させた構造を図７（右）に示す。【００２１】なお、本考案にかかる杭の具体的な構成は、下記の実施形態に限られるものでなく、考案の要旨を逸脱しない範囲で変更可能である。具体的には、刃物形状の変更や保持力を強固にするために刃物長を増加させることも可能であり、更に杭の輸送時や地盤への杭挿入時に刃先の拡開を防止するために本考案の杭側面のスリット部を覆うようにワイヤーで巻いた構造にしても良い。
【符号の説明】
【００２２】１      杭頭部の金属製の管２      刃物３      支持軸４      支持軸受け部５      スリット状の開口部６      杭頭側の開口部７      ピストン８      ピストン頭部９      傘枝１０    支持軸１１    支持軸１２    支持軸受け部３０    杭尾側の開口部３１    杭尾部の金属製の管３２    刃物３３    支持軸３４    支持軸受け部３５    スリット４０    ピン１００  コンクリート製の杭２００  コンクリート製の杭
【図１】
0003204363.tif 000003
【図２】
0003204363.tif 000004
【図３】
0003204363.tif 000005
【図４】
0003204363.tif 000006
【図５】
0003204363.tif 000007
【図６】
0003204363.tif 000008
【図７】
0003204363.tif 000009